【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
外周面に種々の識別情報が描かれた複数のリールを予め定めた始動条件の成立に基づいて回転させた後、各リールに対応付けて設けられたストップスイッチの操作に従って各リールを停止させるゲームを実行し、すべてのリールが停止した際の識別情報の組み合わせが予め定めた特賞停止態様のとき、遊技者に所定の特賞利益を付与するスロットマシンにおいて、
遊技実行手段と、特賞利益付与手段と、を備え、
前記遊技実行手段は、自装置の側で定めた停止態様が形成されるように前記各リールの停止位置を調整する制御モードと、前記複数のリールのうち少なくとも１つのリールの停止位置を調整しない無制御モードのいずれかの動作モードで前記ゲームを実行するものであり、
前記特賞利益付与手段は、前記ゲームの実行結果として前記特賞停止態様が出現したとき、予め定めた第１特賞利益と第２特賞利益とを組み合わせた特賞利益を付与するものであり、
前記第１特賞利益は、停止態様として所定の小当たりが出現するように設定した制御モードで前記所定回数実行されるボーナス状態であり、
前記第２特賞利益は、前記無制御モードで前記ゲームが所定回数繰り返されるチャレンジ状態であり、
前記特賞停止態様を構成する識別情報の組み合わせを複数種類有し、   前記特賞利益付与手段は、前記チャレンジ状態において前記無制御モードで前記ゲームを繰り返し実行する回数を、前記特賞停止態様を構成する識別情報の組み合わせの種類に応じて変更するものであることを特徴とするスロットマシン。
【請求項２】
前記第１特賞利益の前記ゲーム回数の大きさに応じて複数のランクに分類し、前記特賞利益は、少なくともいずれか１つのランクの中に、前記第２特賞利益が組み合わさっていることを特徴とする請求項１に記載のスロットマシン。
【請求項３】
前記特賞利益は、前記第１特賞利益の前記ゲーム回数が最も大きいランクの場合のみ、前記第２特賞利益を付加し、他のランクの場合は、第１特賞利益のみとしたことを特徴とする請求項２に記載のスロットマシン。
【請求項４】
前記特賞利益は、第２特賞利益の前記ゲームの繰り返し実行回数の大きさに応じて複数ランクを設けるとともに、前記第１特賞利益の前記ゲーム回数の大きいランクほど第２特賞利益の前記ゲーム繰り返し実行回数の大きさを大きくしたことを特徴とする請求項２に記載のスロットマシン。
【請求項５】
特賞内容表示部を設け、
前記特賞内容表示部は今回付与する特賞利益の組み合わせ方を遊技者に通知表示することを特徴とする請求項１、２、３、または４に記載のスロットマシン。
【請求項６】
前記特賞内容表示部は、あと１つ所定の識別情報が揃うと前記特賞表示態様になり得るリーチ状態が前記ゲームの実行途中で出現したとき、前記リーチ状態が特賞表示態様に遷移したならば付与される特賞利益の組み合わせ方を遊技者に予告通知することを特徴とする請求項５に記載のスロットマシン。
【請求項７】
前記特賞内容表示部は、最終的に特賞表示態様が停止表示されなかったとき、前記予告通知の継続を中止することを特徴とする請求項５に記載のスロットマシン。
【請求項８】
前記特賞内容表示部は、今回付与する特賞利益のうち未だ付与していない残りの特賞利益の内容を遊技者に逐次、通知表示することを特徴とする請求項５、６または７に記載のスロットマシン。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
【課題を解決するための手段】
かかる目的を達成するための本発明の要旨とするところは、次の各項の発明に存する。
［１］外周面に種々の識別情報が描かれた複数のリール（１３１〜１３３）を予め定めた始動条件の成立に基づいて回転させた後、各リール（１３１〜１３３）に対応付けて設けられたストップスイッチ（１１１〜１１３）の操作に従って各リール（１３１〜１３３）を停止させるゲームを実行し、すべてのリール（１３１〜１３３）が停止した際の識別情報の組み合わせが予め定めた特賞停止態様のとき、遊技者に所定の特賞利益を付与するスロットマシンにおいて、
遊技実行手段（３２０）と、特賞利益付与手段（３３０）と、を備え、
前記遊技実行手段（３２０）は、自装置の側で定めた停止態様が形成されるように前記各リール（１３１〜１３３）の停止位置を調整する制御モードと、前記複数のリール（１３１〜１３３）のうち少なくとも１つのリール（１３１〜１３３）の停止位置を調整しない無制御モードのいずれかの動作モードで前記ゲームを実行するものであり、
前記特賞利益付与手段（３３０）は、前記ゲームの実行結果として前記特賞停止態様が出現したとき、予め定めた第１特賞利益と第２特賞利益とを組み合わせた特賞利益を付与するものであり、
前記第１特賞利益は、停止態様として所定の小当たりが出現するように設定した制御モードで前記所定回数実行されるボーナス状態であり、
前記第２特賞利益は、前記無制御モードで前記ゲームが所定回数繰り返されるチャレンジ状態であり、
前記特賞停止態様を構成する識別情報の組み合わせを複数種類有し、   前記特賞利益付与手段（３３０）は、前記チャレンジ状態において前記無制御モードで前記ゲームを繰り返し実行する回数を、前記特賞停止態様を構成する識別情報の組み合わせの種類に応じて変更するものであることを特徴とするスロットマシン。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
［２］前記第１特賞利益の前記ゲーム回数の大きさに応じて複数のランクに分類し、前記特賞利益は、少なくともいずれか１つのランクの中に、前記第２特賞利益が組み合わさっていることを特徴とする［１］に記載のスロットマシン。
【手続補正６】
【補正対象書類名】明細書
【補正対象項目名】００１２
【補正方法】変更
【補正の内容】
【００１２】
［３］前記特賞利益は、前記第１特賞利益の前記ゲーム回数が最も大きいランクの場合のみ、前記第２特賞利益を付加し、他のランクの場合は、第１特賞利益のみとしたことを特徴とする［２］に記載のスロットマシン。
【手続補正７】
【補正対象書類名】明細書
【補正対象項目名】００１３
【補正方法】変更
【補正の内容】
【００１３】
［４］前記特賞利益は、第２特賞利益の前記ゲームの繰り返し実行回数の大きさに応じて複数ランクを設けるとともに、前記第１特賞利益の前記ゲーム回数の大きいランクほど第２特賞利益の前記ゲーム繰り返し実行回数の大きさを大きくしたことを特徴とする［２］に記載のスロットマシン。
【手続補正８】
【補正対象書類名】明細書
【補正対象項目名】００１４
【補正方法】変更
【補正の内容】
【００１４】
［５］特賞内容表示部（１０５）を設け、
前記特賞内容表示部（１０５）は今回付与する特賞利益の組み合わせ方を遊技者に通知表示することを特徴とする［１］、［２］、［３］、または［４］に記載のスロットマシン。
【手続補正９】
【補正対象書類名】明細書
【補正対象項目名】００１５
【補正方法】変更
【補正の内容】
【００１５】
［６］前記特賞内容表示部（１０５）は、あと１つ所定の識別情報が揃うと前記特賞表示態様になり得るリーチ状態が前記ゲームの実行途中で出現したとき、前記リーチ状態が特賞表示態様に遷移したならば付与される特賞利益の組み合わせ方を遊技者に予告通知することを特徴とする［５］に記載のスロットマシン。
【手続補正１０】
【補正対象書類名】明細書
【補正対象項目名】００１６
【補正方法】変更
【補正の内容】
【００１６】
［７］前記特賞内容表示部（１０５）は、最終的に特賞表示態様が停止表示されなかったとき、前記予告通知の継続を中止することを特徴とする［５］に記載のスロットマシン。
【手続補正１１】
【補正対象書類名】明細書
【補正対象項目名】００１７
【補正方法】変更
【補正の内容】
【００１７】
[８]前記特賞内容表示部（１０５）は、今回付与する特賞利益のうち未だ付与していない残りの特賞利益の内容を遊技者に逐次、通知表示することを特徴とする[５]、[６]または[７]に記載のスロットマシン。